(57)【要約】【課題】切替可能な複数の水路を内蔵しながら、全体を小型化した吐水装置を提供する。【解決手段】吐水装置は、管部と、管部に設けられた吐水部と、管部に内蔵され、主水路から分岐し、吐水部と接続されている第１及び第２の水路と、主水路からの分岐において、第１の水路と第２の水路とを切り替える弁体と、管部に設けられたプッシュボタンと、プッシュボタンと接続され、プッシュボタンの押し込みによる直線運動を回転運動に変換するカム機構と、を備え、カム機構は、弁体と接続されており、プッシュボタンの押し込みによって、弁体によって第１の水路と第２の水路とを切り替える。【選択図】図５
2018131748.tif 000002
【特許請求の範囲】
【請求項１】
管部と、
前記管部に設けられた吐水部と、
前記管部に内蔵され、主水路から分岐し、前記吐水部と接続されている第１及び第２の水路と、
前記主水路からの分岐において、前記第１の水路と前記第２の水路とを切り替える弁体と、
前記管部に設けられたプッシュボタンと、
前記プッシュボタンと接続され、前記プッシュボタンの押し込みによる直線運動を回転運動に変換するカム機構と、
を備え、
前記カム機構は、前記弁体と接続されており、前記プッシュボタンの押し込みによって、前記弁体によって前記第１の水路と前記第２の水路とを切り替える、吐水装置。
【請求項２】
前記カム機構は、前記プッシュボタンの押し込みによる直線運動を、押し込んだ方向に平行な軸を中心とする回転運動に変換する、請求項１に記載の吐水装置。
【発明の詳細な説明】
【技術分野】
【０００１】
本発明は、プッシュボタンによって切替可能な複数の水路を内蔵した吐水装置に関する。
【背景技術】
【０００２】
従来、水栓装置に取り付ける吐水装置において、シャワー吐水とストレート吐水とを切り替える切替機構を吐水口自体に設ける場合が知られている（例えば、特許文献１参照。）。この吐水装置では、吐水口に設けられた操作リングを回転させることによってシャワー吐水とストレート吐水とを切り替えている。
【先行技術文献】
【特許文献】
【０００３】
【特許文献１】国際特許出願公開２００５／０３１０７４号
【発明の概要】
【発明が解決しようとする課題】
【０００４】
しかし、上記吐水装置において、切替機構が吐水口から突出して設けられており、大型化しやすく、外観を損なう場合があるという問題があった。
【０００５】
本発明の目的は、切替可能な複数の水路を内蔵しながら、全体を小型化した吐水装置を提供することである。
【課題を解決するための手段】
【０００６】
本発明に係る吐水装置は、管部と、
前記管部に設けられた吐水部と、
前記管部に内蔵され、主水路から分岐し、前記吐水部と接続されている第１及び第２の水路と、
前記主水路からの分岐において、前記第１の水路と前記第２の水路とを切り替える弁体と、
前記管部に設けられたプッシュボタンと、
前記プッシュボタンと接続され、前記プッシュボタンの押し込みによる直線運動を回転運動に変換するカム機構と、
を備え、
前記カム機構は、前記弁体と接続されており、前記プッシュボタンの押し込みによって、前記弁体によって前記第１の水路と前記第２の水路とを切り替える。
【発明の効果】
【０００７】
本発明に係る吐水装置によれば、プッシュボタンの押し込みによる直線運動を回転運動に変換できるので、そのスペースを抑制でき、吐水装置の全体を小型化できる。
【図面の簡単な説明】
【０００８】
【図１】吐水装置を備えた水栓装置の外観を示す概略斜視図である。
【図２】図１の水栓装置において、吐水装置を引き出した状態を示す概略斜視図である。
【図３】実施の形態１に係る吐水装置の各構成部材を示す分解斜視図である。
【図４Ａ】図３の吐水装置の吐水口の面に平行な面で切断した断面構造を示す断面図である。
【図４Ｂ】図３の吐水装置の吐水口の面に垂直な面で切断した断面構造を示す断面図である。
【図５】図３の管部を外した吐水装置の内部の構成を示すと共に、プッシュボタンを押し込んでいない状態（シャワー吐水）のカム機構、オルタネート機構、切替部について内部を透視した部分透視図である。
【図６】図５の管部を外した吐水装置のカム機構、オルタネート機構、切替部を含む下部を拡大した部分透視図である。
【図７】図５の吐水装置の切替部を主水路側から見て、主水路からの分岐がシャワー吐水となっていることを示す概略図である。
【図８】図３の管部を外した吐水装置の内部の構成を示すと共に、プッシュボタンを押し込んだ状態（ストレート吐水）のカム機構、オルタネート機構、切替部について内部を透視した部分透視図である。
【図９】図８の管部を外した吐水装置のカム機構、オルタネート機構、切替部を含む下部を拡大した部分透視図である。
【図１０】図８の吐水装置の切替部を主水路側から見て、主水路からの分岐がストレート吐水となっていることを示す概略図である。
【図１１】図３の管部を外した吐水装置の内部の構成を示すと共に、プッシュボタンを押し込んでいない状態から押し込んでいる途中の状態（シャワー吐水→ストレート吐水）のカム機構、オルタネート機構、切替部について内部を透視した部分透視図である。
【図１２】図１１の吐水装置の切替部を主水路側から見て、主水路からの分岐がシャワー吐水とストレート吐水との中間にあることを示す概略図である。
【発明を実施するための形態】
【０００９】
第１の態様に係る吐水装置は、管部と、
前記管部に設けられた吐水部と、
前記管部に内蔵され、主水路から分岐し、前記吐水部と接続されている第１及び第２の水路と、
前記主水路からの分岐において、前記第１の水路と前記第２の水路とを切り替える弁体と、
前記管部に設けられたプッシュボタンと、
前記プッシュボタンと接続され、前記プッシュボタンの押し込みによる直線運動を回転運動に変換するカム機構と、
を備え、
前記カム機構は、前記弁体と接続されており、前記プッシュボタンの押し込みによって、前記弁体によって前記第１の水路と前記第２の水路とを切り替える。
【００１０】
上記構成によれば、プッシュボタンの押し込みによる直線運動を回転運動に変換できるので、そのスペースを抑制でき、吐水装置の全体を小型化できる。
【００１１】
第２の態様に係る吐水装置は、上記第１の態様において、前記カム機構は、前記プッシュボタンの押し込みによる直線運動を、押し込んだ方向に平行な軸を中心とする回転運動に変換してもよい。
【００１２】
以下、実施の形態に係る吐水装置について、添付図面を参照しながら説明する。なお、図面において実質的に同一の部材については同一の符号を付している。
【００１３】
（実施の形態１）
図１は、吐水装置３０を備えた水栓装置４０の外観を示す概略斜視図である。図２は、図１の水栓装置４０において、吐水装置３０を引き出した状態を示す概略斜視図である。図３は、実施の形態１に係る吐水装置３０の各構成部材を示す分解斜視図である。図４Ａは、図３の吐水装置３０の吐水口の面に平行な面で切断した断面構造を示す断面図である。図４Ｂは、図３の吐水装置３０の吐水口の面に垂直な面で切断した断面構造を示す断面図である。図３乃至図４Ｂ等には、便宜上、互いに直交するｘ軸、ｙ軸、ｚ軸を示している。なお、各軸は説明の都合上設けているものであって、吐水装置３０の方向を特定するためのものではない。
実施の形態１に係る吐水装置３０は、図１及び図２に示すように、水栓装置４０の本体３４の先端に設けられる。水栓装置４０は、例えば、ハンドル３２を回転させることで水等を吐水装置３０から吐出させることができる。なお、この水栓装置４０は、例示であって図１及び図２に示す構成に限定されるものではない。
【００１４】
また、この吐水装置３０は、図３、図４Ａ及び図４Ｂに示すように、ｚ軸方向に延在する管部１の上部にプッシュボタン２を備え、管部１の側面に吐水部（吐水口）１０を備える。また、管部１の内部に下部の主水路Ｃから分岐するシャワー吐水（第１の水路）Ａとストレート吐水（第２の水路）Ｂとを内蔵している。管部１の下部の主水路Ｃと接続部品４で接続された切替部３において、主水路Ｃからシャワー吐水Ａとストレート吐水Ｂとに分岐している。
切替部３では、回転軸５の回りに回転する弁玉押さえ２６によって弁玉１２が支持されている。この弁玉１２がシャワー吐水Ａ又はストレート吐水Ｂへの開口の一方を塞ぐことによって、他方のストレート吐水Ｂ又はシャワー吐水Ａが選択される。
【００１５】
さらに、この吐水装置３０は、プッシュボタン２と直接又は間接に接続されていると共に、弁体（弁玉）１２と接続されているカム機構２７を備える。カム機構２７によって、プッシュボタン２の押し込みに対応して、弁体（弁玉）１２によってシャワー吐水Ａとストレート吐水Ｂとを切り替える。また、この吐水装置３０は、プッシュボタン２と直接又は間接に接続され、プッシュボタン２を押し込んだ場合にその状態を保持する、オルタネート機構２８を備える。オルタネート機構２８とカム機構２７とは、それぞれの長手方向（ｚ軸方向）を平行にして配置されている。
これによって、オルタネート機構２８とカム機構２７とを分けて、それぞれの長手方向（ｚ軸方向）を平行にして配置されている。これによって、吐水装置３０全体を小型化できる。
【００１６】
また、図４Ａ及び図４Ｂに示すように、オルタネート機構２８とカム機構２７とは、シャワー吐水Ａ及びストレート吐水Ｂを挟んで配置されていてもよい。なお、この場合、オルタネート機構２８及びカム機構２７の長手方向（ｚ軸方向）と、シャワー吐水Ａ及びストレート吐水Ｂの長手方向（ｚ軸方向）とは互いに実質的に平行に配置することが好ましい。これによって、管部１内にそれぞれをバランスよく配置できる。
また、シャワー吐水Ａとストレート吐水Ｂとが配置される方向（ｙ軸方向）と、オルタネート機構２８とカム機構２７とが配置される方向（ｘ軸方向）とは、互いに同方向の場合、それぞれの方向が互いに交差する場合、それぞれの方向が互いに直交する場合、のいずれであってもよい。オルタネート機構２８とカム機構２７とは、管部１の内部の断面構成に応じて適宜配置すればよい。
【００１７】
＜管部＞
管部１には、その内部に下部の主水路Ｃから分岐するシャワー吐水（第１の水路）Ａとストレート吐水（第２の水路）Ｂとを内蔵している。シャワー吐水Ａの長手方向（ｚ軸方向）とストレート吐水Ｂの長手方向（ｚ軸方向）とは、互いに平行に配置することが好ましい。また、図４Ｂに示すように、シャワー吐水Ａとストレート吐水Ｂとは、ｙ方向に配置されている。なお、水漏れ等を防止するため、パッキン９が設けられている。
【００１８】
＜吐水部＞
吐水部１０は、管部１の側面に設けられている。この例では、図３に示すように、ｙ軸負方向に向けられている。また、吐水部１０には、図５、図８、図１１に示すように、中央にストレート吐水用孔１０ａが設けられ、周囲にシャワー吐水用孔１０ｂが設けられている。シャワー吐水用孔１０ｂは、シャワー吐水Ａと接続されており、ストレート吐水用孔１０ａは、ストレート吐水Ｂと接続されている。なお、水漏れ等を防止するため、パッキン１１、Ｏリング１８等が設けられている。
【００１９】
＜リンク＞
リンク７は、プッシュボタン２と接続されている。プッシュボタン２を押し込むと、リンク７は下方（ｚ軸負方向）に下がる。このリンク７は、二股の枝部として延在するロッド状の第１リンク７ａ及び第２リンク７ｂを備える。第１リンク７ａは、オルタネート機構２８と接続されている。また、第２リンク７ｂは、カム機構２７と接続されている。プッシュボタン２を押し込んでリンク７が下方（ｚ軸負方向）に下がると、第１リンク７ａ及び第２リンク７ｂも下方（ｚ軸負方向）に下がる。これに伴って、第１リンク７ａに接続されたオルタネート機構２８と、第２リンク７ｂに接続されたカム機構とは、それぞれ下方（ｚ軸負方向）に下がる。なお、リンク７は、オルタネート機構２８とカム機構２７とに共通する部分を必須とするものではない。例えば、オルタネート機構２８と接続された第１リンク７ａと、カム機構２７と接続された第２リンク７ｂとが別々に設けられ、それぞれプッシュボタン２と直接に接続されていてもよい。また、図３及び図４Ｂに示すように、リンク押さえ８によって、第１リンク７ａ及び第２リンク７ｂの長手方向以外の動きを抑制してもよい。
【００２０】
＜オルタネート機構＞
オルタネート機構２８は、プッシュボタン２と直接又は間接に接続され、プッシュボタン２を押し込んだ場合にその状態を保持する。つまり、オルタネート機構２８によって、プッシュボタン２を押し込んだ状態と、プッシュボタン２を押し込まない状態と、の２つの状態を選択できる。また、オルタネート機構２８によって、それぞれの状態を切り替えることができる。プッシュボタン２を押し込まない状態が、図４Ｂ及び図６に示すシャワー吐水Ａの選択の場合であり、プッシュボタン２を押し込んだ状態が、図９に示すストレート吐水Ｂの選択の場合である。このオルタネート機構２８は、割ピン１６で第１リンク７ａに接続されており、オルタネート機構ホルダ２０、羽根部材２１、ロッド２２、ノック部材２３、ノック部材押しバネ２４を含む。また、オルタネート機構２８は、プッシュボタン２を複数回押し込んだ場合に保持された状態を解除するように構成してもよい。また、この場合、プッシュボタン２を奇数回押し込んだ場合にプッシュボタン２を押し込んだ状態を保持するようにしてもよい。なお、押し込んだ状態を解除するために、上記ノック部材押しバネ２４及びリンク押しバネ２５が設けられている。
【００２１】
＜カム機構＞
カム機構２７は、プッシュボタン２と直接又は間接に接続されていると共に、弁体（弁玉）１２と接続されており、プッシュボタン２の押し込みに対応して、弁体（弁玉）１２によってシャワー吐水Ａとストレート吐水Ｂとを切り替える。このカム機構２７は、例えば、図５，図６、図８及び図９に示すように、プッシュボタン２の押し込みによる直線運動を、押し込んだ方向（ｚ軸負方向）に平行な軸（ｚ軸）を中心とする回転運動に変換するように構成してもよい。なお、回転運動の回転軸は、押し込んだ方向に平行な軸であればよく、押し込みによる直線運動と同軸である場合に限られない。例えば、管部１の中心軸を回転軸としてもよい。
図５，図６、図８及び図９に示すカム機構２７では、第２リンク７ｂと接続されており、突起６ａを有するカム６と、軸に対して斜めの切れ込み２９ａを設けたカム受２９とによって構成されている。軸方向にカム受２９が下方（ｚ軸負方向）に下がると、カム６の突起６ａがカム受け２９に設けられた切れ込み２９ａに沿って軸（ｚ軸）に対して斜めにスライドして移動し、カム６が回転軸（ｚ軸）５に沿って回転する。これによってプッシュボタン２の押し込みによる軸方向の直線運動を軸（ｚ軸）を中心とする回転運動に変換できる。
【００２２】
＜弁体（弁玉）、弁玉押さえ、回転軸（振り子）＞
回転軸５は、カム６と接続されており、カム６の回転によって回転軸５も回転する。また、回転軸５は、切替部３内の弁玉押さえ２６と接続されている。弁玉押さえ２６は、弁玉押しバネ１４、弁玉受１３及び弁玉１２を支持している。弁玉１２は、ボール弁とも呼ばれる。弁玉１２は、弁玉押しバネ１４によって上向き（ｚ軸正方向）に付勢されている。回転軸５の回転によって、切替部３内で弁玉押さえ２６が回転し、支持している弁玉１２がシャワー吐水Ａの開口又はストレート吐水Ｂの開口の一方を塞ぐことによって、他方の開口しているストレート吐水Ｂ又はシャワー吐水Ａが選択される。弁玉１２がシャワー吐水Ａの開口とストレート吐水Ｂの開口との間を移動する際には上下に変動するが、弁玉１２は、上向きに付勢されているので安定して２つの開口の間を移動する。回転軸５が回転しない初期位置では、弁玉１２は、ストレート吐水Ｂへの開口を塞いでいる。なお、水漏れ等を防止するため、リング１５、Ｏリング１７等が回転軸５に設けられている。また、切替部３と接続部品４との間にはＯリング１９が設けられている。
【００２３】
以下に、この吐水装置３０におけるシャワー吐水の状態、ストレート吐水の状態、及び、これらの中間の状態について説明する。
【００２４】
＜シャワー吐水＞
図５は、図３の管部１を外した吐水装置３０の内部の構成を示すと共に、プッシュボタン２を押し込んでいない状態（シャワー吐水）のカム機構２７、オルタネート機構２８、切替部３について内部を透視した部分透視図である。図６は、図５の管部１を外した吐水装置３０のカム機構２７、オルタネート機構２８、切替部３を含む下部を拡大した部分透視図である。図７は、図５の吐水装置３０の切替部３を主水路Ｃ側から見て、主水路Ｃからの分岐がシャワー吐水Ａとなっていることを示す概略図である。
プッシュボタン２を押し込んでいない状態では、カム６の突起６ａはカム受２９の切れ込み２９ａをスライドしておらず、回転軸５も回転していない。この場合には、弁玉押さえ２６は初期位置にあり、弁玉１２は、ストレート吐水Ｂの開口を塞いでいる。そこで、シャワー吐水Ａの開口が選択されたものとなる。
【００２５】
＜ストレート吐水＞
図８は、図３の管部１を外した吐水装置３０の内部の構成を示すと共に、プッシュボタン２を押し込んだ状態（ストレート吐水Ｂ）のカム機構２７、オルタネート機構２８、切替部３について内部を透視した部分透視図である。図９は、図８の管部１を外した吐水装置３０のカム機構２７、オルタネート機構２８、切替部３を含む下部を拡大した部分透視図である。図１０は、図８の吐水装置３０の切替部３を主水路側から見て、主水路からの分岐がストレート吐水Ｂとなっていることを示す概略図である。
プッシュボタン２を押し込んだ状態（ストレート吐水Ｂ）では、カム６の突起６ａはカム受２９の切れ込み２９ａをスライドして移動し、回転軸５も回転している。この場合には、弁玉押さえ２６も回転し、弁玉１２はシャワー吐水Ａの開口を塞いでいる。そこで、ストレート吐水Ｂが選択されたものとなる。
【００２６】
＜シャワー吐水とストレート吐水との中間状態＞
図１１は、図３の管部１を外した吐水装置３０の内部の構成を示すと共に、プッシュボタン２を押し込んでいない状態から押し込んでいる途中の状態（シャワー吐水→ストレート吐水）のカム機構２７、オルタネート機構２８、切替部３について内部を透視した部分透視図である。図１２は、図１１の吐水装置３０の切替部３を主水路Ｃ側から見て、主水路Ｃからの分岐がシャワー吐水Ａとストレート吐水Ｂとの中間にあることを示す概略図である。
プッシュボタン２を少し押し込んだ状態（シャワー吐水Ａとストレート吐水Ｂとの中間状態）では、カム６の突起６ａはカム受２９の切れ込み２９ａを少しスライドして移動し、回転軸５も少し回転している。この場合には、弁玉押さえ２６も少し回転し、弁玉１２はシャワー吐水Ａの開口とストレート吐水Ｂの開口との間にある。そこで、シャワー吐水Ａとストレート吐水Ｂとの両方が同時に選択されたものとなる。
なお、このプッシュボタン２を少し押し込んだ状態は、オルタネート機構２８で保持される状態ではないので、プッシュボタン２から手を離した場合には元のプッシュボタン２を押し込まない状態に戻る。
【００２７】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００２８】
本発明に係る吐水装置によれば、プッシュボタンの押し込みによる直線運動を回転運動に変換できるので、そのスペースを抑制できる。これによって、吐水装置全体を小型化できるので、水栓装置に組み込む吐水装置として有用である。
【符号の説明】
【００２９】
Ａ  シャワー吐水（第１の水路）
Ｂ  ストレート吐水（第２の水路）
Ｃ  主水路
１  管部
２  プッシュボタン
３  切替部
４  接続部品
５  回転軸（振り子）
６  カム
６ａ  突起
７  リンク
７ａ  第１リンク
７ｂ  第２リンク
８  リンク押さえ
９  パッキン
１０  吐水部
１０ａ  ストレート吐水用孔
１０ｂ  シャワー吐水用孔
１１  吐水部パッキン
１２  弁玉（弁体）
１３  弁玉受
１４  弁玉押しバネ
１５  リング
１６  割ピン
１７  Ｏリング
１８  Ｏリング
１９  Ｏリング
２０  オルタネート機構ホルダ
２１  羽根部材
２２  ロッド
２３  ノック部材
２４  ノック部材押しバネ
２５  リンク押しバネ
２６  弁玉押さえ
２７  カム機構
２８  オルタネート機構
２９  カム受
２９ａ  切れ込み
３０  吐水装置
３２  ハンドル
３４  本体
４０  水栓装置
【図１】
2018131748.tif 000003
【図２】
2018131748.tif 000004
【図３】
2018131748.tif 000005
【図４Ａ】
2018131748.tif 000006
【図４Ｂ】
2018131748.tif 000007
【図５】
2018131748.tif 000008
【図６】
2018131748.tif 000009
【図７】
2018131748.tif 000010
【図８】
2018131748.tif 000011
【図９】
2018131748.tif 000012
【図１０】
2018131748.tif 000013
【図１１】
2018131748.tif 000014
【図１２】
2018131748.tif 000015